(57)【特許請求の範囲】
【請求項１】
電解めっき法により半導体ウエハにめっきを施す方法において、
流出孔を有する筒状のめっき槽を用い、
めっき槽内にアノードとしてのめっき板を略水平に配設し、
前記めっき板に対して重力方向の下部側に前記めっき板に対向させてカソードとしての前記半導体ウエハを略水平に配設し、
前記めっき板と前記半導体ウエハとが略平行に配設して、
前記流出孔は筒状のめっき槽の側面部の前記半導体ウエハに近接した位置であって前記半導体ウエハの上面の重力方向における高さと略等しい高さに形成され、前記めっき液を重力差により外部に流出させるものであり、
めっき液に作用する重力を用いて、めっき槽内において、めっき液の液位を調整することにより、前記流出孔近傍における前記めっき液の流速を所定速度に設定して、めっき液の層流を重力方向下向きに形成し、前記半導体ウエハに対して層流を形成しながら、前記半導体ウエハをめっきすること
を特徴とする半導体ウエハのめっき方法。
【請求項２】
電解めっき法により半導体ウエハにめっきを施す装置において、
めっき液が満たされ、カソードとしての前記半導体ウエハを略水平に配設する底面部と、前記半導体ウエハの側面部に近接した側面部とから成る筒状のめっき槽と、
前記めっき槽において、前記半導体ウエハに対して重力方向の上部側において、前記半導体ウエハと対向して略水平に配置されたアノードとしてのめっき板と、
前記めっき槽の前記側面部において、前記半導体ウエハに近接した位置に形成され、前記めっき液を重力差により外部に流出させる流出孔と、
前記流出孔から流出した前記めっき液を、前記めっき板に対して重力方向の上部側より前記めっき槽内に帰還させる循環供給手段と
から成り、
前記めっき板と前記半導体ウエハとが略平行に配設されており、
前記流出孔が、前記半導体ウエハの上面の重力方向における高さと略等しい高さに設けられ、
前記めっき液の液位を調整することにより、前記流出孔近傍における前記めっき液の流速が所定速度に設定された
ことを特徴とする半導体ウエハのめっき装置。
【請求項３】
前記半導体ウエハ及び前記めっき板が略円板状を成し、前記めっき槽が略円筒状を成すことを特徴とする請求項２に記載の半導体ウエハのめっき装置。
【請求項４】
前記流出孔が、スリット状を成し、前記めっき槽の周方向に設けられたことを特徴とする請求項２に記載の半導体ウエハのめっき装置。
【請求項５】
前記めっき板が、前記めっき液が通過可能にメッシュ状に形成されたことを特徴とする請求項２に記載の半導体ウエハのめっき装置。
【請求項６】
前記めっき槽に供給された前記めっき液の一部は、前記めっき槽において、前記めっき板に対して重力方向の上部側より外部に流出することで前記めっき液の流速が所定速度に設定されたことを特徴とする請求項２に記載の半導体ウエハのめっき装置。
【請求項７】
前記流出孔の断面積を調整することにより、前記流出孔近傍における前記めっき液の流速が所定速度に設定されたことを特徴とする請求項２に記載の半導体ウエハのめっき装置。
【請求項８】
前記筒状のめっき槽として樹脂材から成るめっき槽を用いることを特徴とする請求項１に記載の半導体ウエハのめっき方法。
【請求項９】
前記筒状のめっき槽が樹脂材から成るめっき槽であることを特徴とする請求項２に記載の半導体ウエハのめっき装置。
【発明の詳細な説明】
【０００１】
【発明の属する技術分野】
本発明は、電解めっき法を用いて半導体ウエハ上にめっきを施す方法及びその装置に関する。特に、半導体ウエハ上にバンプ電極を形成する方法及びその装置に関する。
【０００２】
【従来の技術】
従来、ウエハ上にはんだめっきを施し、はんだバンプを形成する技術では、例えば特開昭６２−２６６８５１号公報に開示されている技術が知られている。この技術によるはんだバンプの形成方法を図６に示す。
この技術では、ウエハ基板１１上にアルミパッド電極１２及びパッシベーション膜１３を形成し、このパッシベーション膜１３上にバリアメタル１４を形成する。そして、厚膜液状レジストやドライフィルムレジスト１６を塗布及びラミネートを実施して現像した後、バリアメタル１４を電極として電解めっきを施す。これによりアルミパッド電極１２上にはんだバンプ電極１５を形成する（図６（ａ））。
続いて、厚膜液状レジストやドライフィルムレジスト１６を剥離すると共に、バリアメタル１４をエッチングして除去することにより図６（ｂ）に示される構造が得られる。さらに、リフロー工程を経て、図６（ｃ）に示されるようにな半球上のバンプ構造が得られる。このようにしてはんだめっきによるはんだバンプ電極１５の形成を行うことができる。
このようなはんだバンプの形成は、例えば図７に示す装置を用いて行われる。即ち、めっき槽２１内にめっき液２３を入れ、平板状のはんだ板（アノード）２２と平板状のウエハ１１とをそれらの面の方向が略重力方向となるように平行に対向配置してめっき液２３内に浸し、めっき液２３をめっき槽２１の底部に設けられたスターラ２４にて攪拌して層流を作り、めっき液２３を電着面に供給する構成としている。
【０００３】
【発明が解決しようとする課題】
しかしながら、上記開示技術では、ウエハ１１とはんだ板２２とがめっき液２３中に略重力方向に平行に対向配置されているので、ウエハ１１とはんだ板２２との間に作用する電気力線２５は、図８に示されるようにウエハ１１の端部に集中し、その電流密度はウエハ１１の平坦部の約３倍になるので、約３倍の電流が集中する。この結果、電流密度に応じて付着するはんだ量が増加し、ウエハ１１の端部におけるバンプ径及びバンプ高さが平坦部に比べて大きくなってしまうという問題がある。さらに、Ｓｎイオンに比べてＰｂイオンの比重が大きいために上記開示技術を用いてバンプ電極を形成すると、重力の影響を受けてＰｂイオンが下に沈降してしまい、ウエハ１１の重力方向の下側が上側に比べてはんだ組成（錫比）が小さくなる傾向にあり、バンプ電極を均一な組成比に形成することが困難である。
【０００４】
従って、本発明は、上記課題に鑑み、ウエハ全体に渡りめっき組成を均一にすることを目的とする。又、他の発明の目的は、ウエハの端部に集中して作用する電気力線を緩和し、バンプ電極の径、高さを均一に形成できるようにすることである。
【０００５】
【課題を解決するための手段】
上記の課題を解決するために、請求項１に記載の手段を採用することができる。この手段によると、流出孔を有する筒状のめっき槽を用い、めっき槽内にアノードとしてのめっき板を略水平に配設し、めっき板に対して重力方向の下部側にめっき板に対向させてカソードとしての半導体ウエハを略水平に配設する。こうして、めっき板と半導体ウエハとが略平行に配設される。流出孔は筒状のめっき槽の側面部の半導体ウエハに近接した位置であって半導体ウエハの上面の重力方向における高さと略等しい高さに形成され、めっき液を重力差により外部に流出させるものである。そして、めっき液に作用する重力を用いてめっき槽内において、めっき液の液位を調整することにより、流出孔近傍におけるめっき液の流速を所定速度に設定して、めっき液の層流を重力方向下向きに形成して、半導体ウエハに対して層流を形成しながら半導体ウエハにめっきを施す。
このめっき法により半導体ウエハを略水平方向に配設し、重力方向にめっき液の層流を形成してめっきを行うことで、半導体ウエハ上に均一な組成及び厚さの一定なめっきを形成することができる。又、半導体ウエハがめっき板に対して重力方向の下部側に配設してめっきを行うことにより、めっき時に発生する泡等の影響を受けることがなく、高品質なめっきを形成することが可能である。
【０００６】
また、めっき板と半導体ウエハとが略平行に配設されることにより、半導体ウエハ上に形成されるめっきの組成及び厚さをより均一にすることができる。
更に、流出孔が半導体ウエハの上面の重力方向における高さと略等しい高さに設けられることにより、半導体ウエハ上にめっき液の層流を良好に形成することができる。
更に、めっき液の液位を調整することにより、流出孔近傍におけるめっき液の流速を所定速度に設定することができ、より良好な品質のめっきを得ることができる。
【０００７】
【０００８】
請求項２に記載の手段によれば、めっき液が満たされる筒状のめっき槽の底面部に略水平にカソードとしての半導体ウエハが配設され、半導体ウエハの側面部がめっき槽の側面部に近接している。又、めっき槽において、半導体ウエハに対して重力方向の上部側には半導体ウエハと対向してアノードとしてのめっき板が略水平に配置される。めっき槽の側面部には半導体ウエハに近接した位置に流出孔が設けられ、この流出孔から重力差によりめっき液が外部に流出し、流出しためっき液は循環供給手段によりめっき板に対して重力方向の上部側よりめっき槽内に帰還される。
この装置構成により、半導体ウエハの側面部とめっき槽の側面部とが近接して配置されるので、めっき槽及びその外側の空気の誘電率は水に比べて非常に小さく、半導体ウエハとめっき板との間に作用する電気力線はめっき槽の外部に漏れることがなく、見かけ上はめっき槽内のみに電気力線が作用する。よって、半導体ウエハの端部に作用する電気力線が低減し、半導体ウエハの端部における電流密度をその中央部における電流密度と同程度にすることができ、形成されるめっきの高さ及び径を均一に形成することが可能となる。又、半導体ウエハがめっき槽の底面部に配置されるので、半導体ウエハはめっき槽内のめっき液面に発生する泡等の影響を受けることがなく、良好な品質のめっきが得られる。
【０００９】
更に、めっき板と半導体ウエハとが略平行に配設されることにより、めっきの高さ、径及び組成をより均一に形成できる。
更に、流出孔が半導体ウエハの上面の重力方向における高さと略等しい高さに設けられることにより、半導体ウエハ上にめっき液の層流を良好に形成することができる。
更に、めっき液の液位を調整することにより、流出孔近傍におけるめっき液の流速を所定速度に設定することができ、より良好な品質のめっきを得ることができる。
【００１０】
請求項３に記載の手段によれば、半導体ウエハ及びめっき板が略円板状を成し、めっき槽が略円筒状を成すことにより、半導体ウエハの端部に集中して作用する電気力線をより緩和することができる。
【００１１】
【００１２】
請求項４に記載の手段によれば、スリット状の流出孔が周方向に設けられることにより、めっき槽内のめっき液を良好に流出させることができる。
【００１３】
請求項５に記載の手段によれば、めっき板はメッシュ状に形成されることにより、めっき液がめっき板内を通過することができるので、めっき槽内におけるめっき液の流れが良くなり、より良好な層流を得ることできる。
【００１４】
【００１５】
請求項６に記載の手段によれば、めっき槽に供給されためっき液の一部が、めっき板に対して重力方向の上部側より外部に流出することにより、めっき液の外部への流出位置を所定の高さに設定しておけば、常に、めっき液の液位を一定に保持することができ、めっき液の流速を所定速度に容易に設定することが可能となる。
【００１６】
請求項７に記載の手段によれば、流出孔の断面積を調整することにより、流出孔近傍におけるめっき液の流速を所定速度に設定することができる。
また、請求項８、９のようにめっき槽として樹脂材から成るものを用いれば、電気力線はめっき槽内のみに作用するので、ウエハの端部に電気力線が集中して作用することがなく、電解めっきによりウエハ上に形成されるバンプの高さ及び径をほぼ均一にすることができる。
【００１７】
【発明の実施の形態】
以下、本発明を具体的な実施例に基づいて説明する。
図１は、本発明の具体的な実施例に係わる電極形成装置１００の構成を示した模式図である。めっき槽１は、樹脂材（プラスチック）から成り、円筒形状を成し、底面部１ａに対向して重力方向の上側に開口面部１ｃを有している。又、めっき槽１の側面部１ｂには、めっき液３を流出させるためにスリット状の流出孔４が周方向に複数個設けられている。
底面部１ａ上にはカソードとしてのウエハ（基板）６が配置され、電源１０の陰極側と接続されている。流出孔４は、ウエハ６の上面部６１の重力方向における高さと略等しい高さに設けられている。ウエハ６は、略円板状を成し、その上面部６１には図２に示されるように所定のバンプ形成パターン６ａが形成されている。又、ウエハ６の側面部は、めっき槽１の内側面に近接して配置されている。
アノードとしての４０％Ｓｎ−６０％Ｐｂから成るめっき板２は、ウエハ６と略同等の形状を成し、ウエハ６に略平行に対向して配設され、電源１０の陽極側と接続されている。このめっき板２は、メッシュ状を成し、複数個の孔部２１が形成されており、ウエハ６に対向して開口面部１ｃ側に配置され、その側面部がめっき槽１の内側面に近接している。
【００１８】
めっき槽１の重力方向下方には貯水槽７が配置されており、流出孔４及び開口面部１ｃから重力により自然流出しためっき液３が蓄えられる。この貯水槽７には、管８、ポンプ５及び管９が接続されており、管９の吐出口はめっき槽１の開口面部１ｃに配置されている。これにより、ポンプ５により汲み上げられた貯水槽７内のめっき液３は、管９を介して開口面部１ｃよりめっき槽１内に供給される構成となっている。貯水槽７、ポンプ５及び管８、９が請求項でいうところの循環供給手段に相当する。ポンプ５は、貯水槽７内のめっき液３をめっき槽１内に供給できるだけの揚程を有していれば、渦巻型、往復型のいずれの型でもよい。
尚、この電極形成装置１００では、管９により供給されためっき液３の一部が、めっき槽１の開口面部１ｃから外側面をつたってオーバーフローする構成としている。又、めっき液３は、遊離酸浴（アルカノールスルホン酸）又は硼弗酸浴から構成されている。
【００１９】
この電極形成装置１００では、管９よりめっき液３がめっき槽１内に供給されると、めっき液３はめっき板２の孔部を通って重力方向下方に流れ込み、めっき液３の一部は開口面部１ｃより側面部１ｂの外側面をつたってオーバーフローする。めっき槽１内のめっき液３は、ウエハ６の上面部６１の重力方向における高さと略等しい高さに設けられた流出孔４から外部に流出する。流出孔４から流出しためっき液３と開口面部１ｃからオーバーフローしためっき液３は、貯水槽７内に蓄えられる。そして、ポンプ５により吸引され、管８、９を通って再びめっき槽１内に供給される。このようにめっき液３をめっき槽１内に循環供給しながら電解めっきを行うことにより、ウエハ６の上面部６１にはんだバンプ電極が所定のパターンで形成される。
【００２０】
電極形成装置１００では、円筒状のめっき槽１の底面部１ａに略円板形状のウエハ６を、その側面部がめっき槽１の内側面に近接するように配置し、このウエハ６に対向してめっき板２を開口面部１ｃ側に配置することにより、めっき槽１及びその外側の空気の誘電率εv 、εa がめっき液３の誘電率εl に比較して非常に小さく、εa ＜εv ≪εl の関係があることから、ウエハ６とめっき板２との間に作用する電気力線のめっき槽１の外部への漏れが小さくなる。このときのウエハ６とめっき板２との間に作用する電気力線の作用状態を図３に示すが、電気力線はめっき槽１内のみに作用するので、ウエハ６の端部に電気力線が集中して作用することがなく、電解めっきによりウエハ６上に形成されるバンプの高さ及び径をほぼ均一にすることができる。
又、ウエハ６がめっき槽１の底面部１ａに平行に対向配置しているため、各部分での重力方向における高さが等しく、重力によるイオン分布密度が等しくなるため、従来の構成のようにウエハの重力方向の下側と上側とではんだ組成が異なることがなく、はんだ組成をほぼ均一に形成することが可能である。
又、ウエハ６がめっき槽１の底面部１ａに配置されるので、電解めっき時にめっき液３の表面に発生する泡によるバンプ電極の形状不良を防止することができる。この泡は、ポンプ５によるもの、202-→O2＋4e- の化学反応によりめっき時にアノード側から発生する酸素によるもの、2H+ ＋2e- →H2の化学反応によりカソード側から発生する水素によるものなどが考えられるが、ウエハ６を底面部１ａに平行配置することで、これら泡による影響を排除することができる。
【００２１】
又、流出孔４がウエハ６の上面部６１の重力方向における高さと略等しい高さに設けられているので、重力による自然放出を用いているのでウエハ６上にめっき液３の層流を一様に形成することができ、バンプ電極の組成比の均一化及び厚さの均一化を図ることができる。
又、流出孔４近傍のめっき液３の流速は、めっき槽１内のめっき液３の液位を変化させることにより任意の速度に設定することができる。即ち、大気圧をPa、めっき液３の密度をρ、重力加速度をｇ、流出孔４近傍におけるめっき液３の流速をｖ、貯水槽７内のめっき液３の液位を基準としためっき槽１内におけるめっき液３の液位の高さをＨとし、流出孔４の断面積ｓが開口面部１ｃの面積Ｓに比較して微小であると仮定すると、ベルヌーイの定理より式（１）が成立する。
【００２２】
【数１】
Pa/ρ＋ｇＨ＝ Pa/ρ＋ (1/2)ｖ2                     ──（１）
【００２３】
式（１）を流速ｖについて解くと式（２）が得られる。
【数２】
ｖ  ＝  （ 2ｇＨ）1/2                               ──（２）
【００２４】
式（２）より、めっき槽１内のめっき液３の液位を変化させることで、流出孔４近傍におけるめっき液３の流速を所望の値に設定することができる。
又、本実施例では、めっき液３の一部が開口面部１ｃよりオーバーフローする構成としているので、常に、めっき液３の液位を一定に保持することができ、めっき槽１の高さを予め適切な値に設定しておけば、容易にめっき槽１内のめっき液３の液位を一定に保持することが可能である。
このように、めっき液３の一部を開口面部１ｃよりオーバーフローさせ、めっき液３の液位を一定に保持することで、流出孔４近傍のめっき液３の流速を所望の速度に保持することができる。これにより、ウエハ６上のめっき液３の層流速度を所望の値にすることでき、時間的に安定した層流を形成することができ、バンプ電極の品質向上に寄与することができる。
【００２５】
上記の図１に示す電極形成装置１００では、ウエハ６をその側面部をめっき槽１の側面部１ｂに近接して底面部１ａ上に配置し、側面部１ｂに流出孔４を設けた構成としたが、本発明はこれに限定されるものではない。
例えば、図４に上記実施例の変形例を示すが、めっき槽１の底面部１ａの重力方向上方に金属から成り、円板状のサセプタ４０を略水平に配設し、このサセプタ４０上にウエハ６を配置する構成としてもよい。サセプタ４０はめっき槽１の内径より小さい径を有し、上面に凹部４１が形成され、この凹部４１上にウエハ６が配置される。これによりウエハ６の周囲にサセプタ４０の凸部４２が配置される。サセプタ４０とめっき槽１の側面部１ｂとの間には、めっき液３が通過できる通路４３が設けられており、めっき槽１内のめっき液３は底面部１ａに設けられた流出孔４から外部に流出される。このようにして電極形成装置１０１が形成されている。
【００２６】
図４に示す構成とすることで、めっき板２とサセプタ４０の周囲の凸部４２との間にも電気力線が作用するので、めっき板２とウエハ６の端部との間に作用する電気力線を緩和することができ、ウエハ６の端部における電気力線密度を中央部における密度と略等しく均一にできる。この結果、バンプ電極の高さ及び径を均一に形成することができる。又、めっき槽１内のめっき液３はサセプサ４０と側面部１ｂとの間の通路４３を通って底面部１ａに設けられた流出孔４から流出するので、めっき液３の重力による均一で一様な層流を形成することが可能である。このように図４に示す電極形成装置１０１により図１に示す装置１００と同等の効果を得ることができる。
又、図４では、サセプタ４０とめっき槽１の側面部１ｂとの間に通路４３を設けた構成としたが、サセプタ４０とめっき槽１との間に通路を設けず、サセプタ４０の凸部４２に貫通孔を設け、それを通路として用いてもよい。
【００２７】
上記実施例では、スリット状の流出孔４を周方向に複数個設けた構成としたが、開口幅の大きい流出孔４を対向して設けた構成としてもよい。この場合のめっき槽１の模式的断面図を図５（ａ）に示す。
又、図５（ｂ）にその模式的断面図を示すように比較的開口幅の大きい４つの流出孔４を略等間隔で設けた構成としてもよい。
【００２８】
上記実施例では、主としてめっき槽１内のめっき液３の液位を調整することにより、流出孔４近傍のめっき液３の流速を所望の値に設定する構成としたが、所定断面積のオリフィスなどを流出孔４に装着して流出孔４の断面積を調整することで、めっき液３の流速を所望の値に設定する構成としてもよい。
又、上記実施例では、電極形成装置１００を用いてはんだバンプ電極を形成する場合について説明したが、アルミニウム(Al)や銅(Cu)など他の金属材料を用いた電解めっき法によるバンプ電極形成に適用することができ、これにより他の組成から成るバンプ電極の高さ及び径を均一に形成することが可能となる。
尚、上記実施例では、めっき板２及び半導体ウエハ６を重力方向に対して直角となるように配置したが、これに限られるものではない。ウエハ６の表面に発生する泡がウエハ６の表面に滞留しない程度であれば、重力方向に対して斜めに配置してもよい。又、このような場合には、適宜ウエハ６を回転させることによりウエハ６の表面全体に略均一にめっき液が触れるようにすることが望ましい。
【００２９】
上記に示されるように、本発明によれば、重力を用いてめっき液の層流を形成し、円筒状のめっき槽の底面部にウエハを水平配置し、そのウエハに対向してめっき板を重力方向の上方に水平配置することにより、めっき組成を均一にし、厚さを一様に形成することができる。又、別の発明によれば、ウエハの側面部をめっき槽の側面部に近接させることで、ウエハの端部に集中して作用する電気力線を緩和させ、ウエハ端部でのめっき厚さを中央部と略等しく均一に形成することができる。
【図面の簡単な説明】
【図１】  本発明の具体的な実施例に係わる電極形成装置の構成を示した模式図。
【図２】  本発明の具体的な実施例に係わる電極形成装置において、基板上に形成されるバンプの形成パターンを示した模式図。
【図３】  本発明の具体的な実施例に係わる電極形成装置において、めっき板とウエハとの間に作用する電気力線を示した模式図。
【図４】  本発明の具体的な他の実施例に係わる電極形成装置の構成を示した模式図。
【図５】  本発明の具体的な実施例に係わる電極形成装置において、めっき槽に形成された流出孔の変形例を示した模式的断面図。
【図６】  従来のバンプ電極の形成方法を示した模式図。
【図７】  従来の電極形成装置の構成を示した模式図。
【図８】  はんだ板とウエハとが平行配置されたときに作用する電気力線を示した模式図。
【符号の説明】
１                めっき槽
２                めっき板
３                めっき液
４                流出孔
５                ポンプ
６                ウエハ
７                貯水槽
８、９            管
１０              電源
４０              サセプタ
１００、１０１    電極形成装置
【図１】
0003677911.tif 000002
【図２】
0003677911.tif 000003
【図３】
0003677911.tif 000004
【図４】
0003677911.tif 000005
【図５】
0003677911.tif 000006
【図６】
0003677911.tif 000007
【図７】
0003677911.tif 000008
【図８】
0003677911.tif 000009